(57)【要約】【課題】電気かみそりと洗浄器とが安定した双方向通信を行うことにより、動作の自由度およびデザインの自由度を高めた構造の電気かみそり用洗浄器を提供する。【解決手段】本発明に係る電気かみそり用洗浄器４０は、電気かみそり３０の充電端子３５と形状が対応する給電端子４５と、電気かみそり３０の第１通信手段１０と方式が対応する第２通信手段２０と、洗浄槽４１とを有し、電気かみそり３０のヘッド部３１が洗浄槽４１に収まった状態で、第１通信手段１０と向かい合う位置に第２通信手段２０が配設されており、充電端子３５と給電端子４５とが接続された状態で、第１通信手段１０と第２通信手段２０とによって近距離無線通信が可能な構成である。【選択図】図１
2019072097.tif 000002
【特許請求の範囲】
【請求項１】
電気かみそりの充電端子と形状が対応する給電端子と、前記電気かみそりの第１通信手段と方式が対応する第２通信手段と、洗浄槽とを有し、
前記電気かみそりのヘッド部が前記洗浄槽に収まった状態で、前記第１通信手段と向かい合う位置に前記第２通信手段が配設されており、
前記充電端子と前記給電端子とが接続された状態で、前記第１通信手段および前記第２通信手段によって近距離無線通信が可能な構成であること
を特徴とする電気かみそり用洗浄器。
【請求項２】
前記洗浄槽の上に配設された柱部に前記第２通信手段が内蔵されており、
前記第２通信手段は、赤外線ダイオード及びフォトトランジスタを有すること
を特徴とする請求項１記載の電気かみそり用洗浄器。
【請求項３】
前記洗浄槽の下方に配設されて洗浄液を入れるタンクと、前記洗浄槽内で前記洗浄液を循環させるポンプとが備わっており、
前記ポンプと接続された給水口が前記洗浄槽の側面の所定位置に形成されており、
前記洗浄槽の底面に複数の排水溝が連結して形成されているとともに、前記排水溝と接続された排水口が形成されており、
前記タンクに前記洗浄液を入れた状態で、前記排水口と前記ポンプとが前記洗浄液を介して接続されており、
前記排水溝にシボ加工が施されていること
を特徴とする請求項１または２記載の電気かみそり用洗浄器。
【請求項４】
充電端子と第１通信手段とを有する電気かみそりと、給電端子と第２通信手段とを有する洗浄器とを備え、
前記電気かみそりのヘッド部が前記洗浄器の洗浄槽に収まった状態で、前記第１通信手段と前記第２通信手段とが向かい合う位置に各々配設されており、
前記充電端子と前記給電端子とが接続された状態で、前記第１通信手段および前記第２通信手段によって近距離無線通信が可能な構成であること
を特徴とする電気かみそり洗浄システム。
【請求項５】
前記電気かみそりの本体部に前記第１通信手段が内蔵されており、
前記洗浄槽の上に配設された柱部に前記第２通信手段が内蔵されており、
前記第１通信手段と前記第２通信手段とは、赤外線ダイオード及びフォトトランジスタを各々有すること
を特徴とする請求項４記載の電気かみそり洗浄システム。
【請求項６】
前記本体部の送受信面の両側の凸部と、前記柱部の送受信面の両側の凹部とは互いの形状が対応しており、
前記ヘッド部が前記洗浄槽に収まった状態で、前記凸部と前記凹部とが重なり合う構成であること
を特徴とする請求項５記載の電気かみそり洗浄システム。
【請求項７】
前記柱部の背面側には、上下にスライドするスライド部が配設されており、前記スライド部の上側に前記給電端子が下向きで配設されており、
前記充電端子と前記給電端子とが接続された状態で、前記電気かみそりと前記洗浄槽とが同期する構成であること
を特徴とする請求項５または６記載の電気かみそり洗浄システム。
【請求項８】
前記洗浄器には制御回路が内蔵されているとともに、前記洗浄槽の正面側に選択ボタンが配設されており、前記選択ボタンからの入力信号によって前記制御回路が洗浄動作と乾燥動作と充電動作との組み合わせを設定する構成であること
を特徴とする請求項４〜７のいずれか一項記載の電気かみそり洗浄システム。
【発明の詳細な説明】
【技術分野】
【０００１】
本発明は、電気かみそり用洗浄器及び電気かみそり洗浄システムに関する。
【背景技術】
【０００２】
電気かみそりのヘッド部の内刃及び外刃は、使用によって、ヒゲくずや皮脂等の汚れが付着する。そのため、これらの汚れを洗浄除去する電気かみそり用洗浄器が普及している。
【０００３】
従来、電気かみそり用洗浄器に関して、有線通信手段を備え、電気かみそりの端子と洗浄器の端子とを接触させて電気的接続を行い、有線通信する構成が知られている（特許文献１：特開２０１３−２３０２１５号公報、特許文献２：特開２０１３−２３２３２１号公報）。
【先行技術文献】
【特許文献】
【０００４】
【特許文献１】特開２０１３−２３０２１５号公報
【特許文献２】特開２０１３−２３２３２１号公報
【発明の概要】
【発明が解決しようとする課題】
【０００５】
特許文献１および特許文献２に例示されるような従来の電気かみそり用洗浄器は、電気かみそりの端子と洗浄器の端子とに、電源ラインに加えて信号ラインを設けたうえで互いに接触させることで電気接続させて洗浄動作等を制御している。この構成は、信号ラインが１本のみの場合、双方向通信が難しくなり、また、信号ラインが２本以上の場合、導通を確保することが難しくなる。そして、電源ラインに加えて信号ラインを設けたうえで互いに接触させて電気接続させる構成上、機器のデザインが制約されるという問題点があった。また、電気かみそりの端子と洗浄器の端子とをコネクタ接続する構成においても同様の問題点があった。
【課題を解決するための手段】
【０００６】
本発明は、上記事情に鑑みてなされ、電気かみそりと洗浄器とが安定した双方向通信を行うことにより、動作の自由度およびデザインの自由度を高めた構造の電気かみそり用洗浄器、及び電気かみそり洗浄システムを提供することを目的とする。
【０００７】
一実施形態として、以下に開示するような解決手段により、前記課題を解決する。
【０００８】
本発明に係る電気かみそり用洗浄器は、電気かみそりの充電端子と形状が対応する給電端子と、前記電気かみそりの第１通信手段と方式が対応する第２通信手段と、洗浄槽とを有し、前記電気かみそりのヘッド部が前記洗浄槽に収まった状態で、前記第１通信手段と向かい合う位置に前記第２通信手段が配設されており、前記充電端子と前記給電端子とが接続された状態で、前記第１通信手段および前記第２通信手段によって近距離無線通信が可能な構成であることを特徴とする。
【０００９】
また、本発明に係る電気かみそり洗浄システムは、充電端子と第１通信手段とを有する電気かみそりと、給電端子と第２通信手段とを有する洗浄器とを備え、前記電気かみそりのヘッド部が前記洗浄器の洗浄槽に収まった状態で、前記第１通信手段と前記第２通信手段とが向かい合う位置に各々配設されており、前記充電端子と前記給電端子とが接続された状態で、前記第１通信手段および前記第２通信手段によって近距離無線通信が可能な構成であることを特徴とする。
【００１０】
これらの構成によれば、前記電気かみそりのヘッド部が前記洗浄器の洗浄槽に収まって前記充電端子と前記給電端子とが接続された状態で、前前記第１通信手段と前記第２通信手段とが向かい合って近距離無線通信を行うので、外部からのノイズを防止して、前記電気かみそりと前記洗浄器とが安定した双方向通信を行うことができ、動作の自由度が高くなる。また、前記電気かみそりと前記洗浄器とは近距離無線通信によって所定の動作を行うので、有線接続は充電または給電のための２つの端子のみとなり、デザインの自由度が高くなる。
【発明の効果】
【００１１】
本発明によれば、前記電気かみそりのヘッド部が前記洗浄器の洗浄槽に収まって前記充電端子と前記給電端子とが接続された状態で、前前記第１通信手段と前記第２通信手段とが向かい合って近距離無線通信を行うので、外部からのノイズを防止して、前記電気かみそりと前記洗浄器とが安定した双方向通信を行うことができ、動作の自由度が高くなる。また、前記電気かみそりと前記洗浄器とは近距離無線通信によって所定の動作を行うので、有線接続は充電または給電のための２つの端子のみとなり、デザインの自由度が高くなる。その結果、例えば、前記洗浄器から前記電気かみそりに対し連動動作をさせることが可能となり、また、前記電気かみそりから前記洗浄器に対し状態通知をさせることが可能となる。したがって、全自動で洗浄、乾燥、及び充電を行う等の多機能を備えた電気かみそり用洗浄器及び電気かみそり洗浄システムが実現する。
【図面の簡単な説明】
【００１２】
【図１】本発明の実施形態に係る電気かみそり用洗浄器の例を示す概略の斜視図である。
【図２】上記実施形態に係る電気かみそり用洗浄器の正面図である。
【図３】図２における内部構造を省略したIII−III線断面図である。
【図４】上記実施形態に係る電気かみそり用洗浄器の右側面図である。
【図５】上記実施形態に係る電気かみそり用洗浄器の背面図である。
【図６】上記実施形態に係る電気かみそり用洗浄器の平面図である。
【図７】上記実施形態に係る電気かみそり用洗浄器を構成するタンクの例を示す概略の斜視図である。
【図８】上記実施形態に係る電気かみそりの斜視図である。
【図９】本発明の実施形態に係る電気かみそり洗浄システムの例を示す概略の斜視図であり、電気かみそりのヘッド部が洗浄槽に収まった状態で、充電端子と給電端子とが接続される前段階の状態の図である。
【図１０】上記実施形態に係る電気かみそり洗浄システムの例を示す概略の斜視図であり、電気かみそりのヘッド部が洗浄槽に収まった状態で、充電端子と給電端子とが接続された状態の図である。
【図１１】上記実施形態に係る電気かみそり洗浄システムの正面図である。
【図１２】図１１における内部構造を省略したXII−XII線断面図である。
【図１３】上記実施形態に係る電気かみそり洗浄システムの例を示すブロック構成図である。
【発明を実施するための形態】
【００１３】
以下、図面を参照して、本発明の実施形態について詳しく説明する。本実施形態は、一例として、電気かみそり用洗浄器４０である。以下、単に「洗浄器」と称する場合がある。洗浄器４０は、電気かみそり３０と組み合わせて、電気かみそり洗浄システム１００を構成する。以下、単に「洗浄システム」と称する場合がある。なお、実施形態を説明するための全図において、同一の機能を有する部材には同一の符号を付し、その繰り返しの説明は省略する場合がある。
【００１４】
図１〜図６に示すように、洗浄器４０は、一例として、洗浄槽４１と、洗浄槽４１の奥側の上部に配設された柱部４２とを備える。ここでは、洗浄器４０の各部の位置関係を説明し易くするため、図中にＸ，Ｙ，Ｚの矢印で向きを示している。
【００１５】
洗浄槽４１の手前側は操作パネルとなっており、動作を選択する選択ボタン４８が配設されている。選択ボタン４８の上方には、動作を表示するためのＬＥＤ４９が複数配列され、前記操作パネルに内蔵されている。
【００１６】
柱部４２の背面側には、上下にスライドするスライド部４３が配設されており、スライド部４３の上側に給電端子４５が下向きで配設されている。
【００１７】
ここで、図８に示すように、電気かみそり３０は、一例として、使用時に把持する本体部３２と、本体部３２の上部に配設されたヘッド部３１とを備える。本体部３２の正面側には電源ボタン３８が配設されている。本体部３２の下部には充電端子３５が配設されている。充電端子３５と給電端子４５とは、互いに接続可能となるように形状が対応している。
【００１８】
電気かみそり３０における、本体部３２の正面側で、電源ボタン３８と充電端子３５の間の位置には、第１通信手段１０が内蔵されている。一例として、第１通信手段１０の正面側は透光性を有する樹脂等からなるカバーが配設されて送受信面３３を構成している（図８を参照）。
【００１９】
また、洗浄器４０における、柱部４２の正面側で、洗浄槽４１と給電端子４５の間の位置には、第２通信手段２０が内蔵されている。一例として、第２通信手段２０の正面側は透光性を有する樹脂等からなるカバーが配設されて送受信面６３を構成している（図１を参照）。
【００２０】
第１通信手段１０と第２通信手段２０とは、通信方式が対応している。第１通信手段１０および第２通信手段２０の通信方式としては、近距離無線通信が可能な方式が採用され、例えば、赤外線方式、ＷＰＡＮ（Wireless Personal Area Network）等が挙げられる。
【００２１】
本実施形態では、第１通信手段１０および第２通信手段２０として、赤外線方式を採用している。この構成によって、赤外波長の信号のみを送信及び受信するので、外部からの電波の影響を受けない。
【００２２】
本実施形態では、第１通信手段１０として、赤外線ダイオード１１及びフォトトランジスタ１２を有する。また、第２通信手段２０として、赤外線ダイオード２１及びフォトトランジスタ２２を有する。この構成によって、赤外線ダイオード１１とフォトトランジスタ２２とを対向配置し、また、赤外線ダイオード２１とフォトトランジスタ１２とを対向配置して、洗浄器４０から電気かみそり３０への通信と、電気かみそり３０から洗浄器４０への通信とを、独立制御することが可能となる。
【００２３】
図１３は、本実施形態の洗浄システム１００の例を示すブロック構成図である。図１３のブロック構成図に基づいて、本実施形態の洗浄システム１００の制御動作について、以下に説明する。
【００２４】
電気かみそり３０は、第１通信手段１０、充電端子３５、電源切り換えスイッチ９７、電源回路９８、バッテリー９５、刃駆動モータ９６、電源ボタン３８、ＬＥＤ３９、及び、第１制御回路３７を備える。電源アダプター９９または給電端子４５が充電端子３５に接続されると、電源切り換えスイッチ９７が作動し、電源回路９８が作動して、バッテリー駆動から外部電源による駆動に切り換わる。
【００２５】
洗浄器４０は、第２通信手段２０、給電端子４５、給電スイッチ９２、電源回路９１、ポンプ駆動モータ９３、ファン駆動モータ９４、選択ボタン４８、ＬＥＤ４９、システムスイッチ６９、及び、第２制御回路４７を備える。電源アダプター９９が接続されるとともに、システムスイッチ６９が作動すると、給電スイッチ９２が作動し、電源回路９８が作動する。
【００２６】
そして、第１制御回路３７は、赤外線ダイオード１１を送信側、フォトトランジスタ１２を受信側、として二値化（０，１）したコマンド信号を用いて、電気かみそり３０から洗浄器４０に対して、情報通信を行い連動動作させる。また、第２制御回路４７は、赤外線ダイオード２１を送信側、フォトトランジスタ２２を受信側、として二値化（０，１）したコマンド信号を用いて、洗浄器４０から電気かみそり３０に対して、情報通信を行い連動動作させる。一例として、赤外線ダイオード１１（２１）は、波長が８００〜９００ｎｍの赤外線を発光し、フォトトランジスタ１２（２２）が受光すると回路が「ＯＮ」となる。フォトトランジスタ１２（２２）が受光しないときは回路が「ＯＦＦ」となる。これら「ＯＮ」と「ＯＦＦ」を二値化（０，１）してコマンド信号を形成する。
【００２７】
図７は、本実施形態の洗浄器４０を構成するタンク５１の例を示す概略の斜視図である。図１と図７に基づいて、本実施形態の洗浄器４０の準備作業について、以下に説明する。
【００２８】
洗浄器４０の洗浄槽４１の下側の左右に配設されているタンク取出しボタン４６を押しながら洗浄器４０を持ち上げると、図７に示すタンク５１が露出する。フィルタ７１が目詰まりしていないことを目視確認して、給水ラインＬ１まで水を入れる。次に、メーカー指定の洗浄剤を適量入れて、洗浄液Ｗ１とする。そして、図１の状態に戻すと、準備作業が完了する。
【００２９】
図９と図１０は、本実施形態に係る電気かみそり洗浄システム１００の例を示す概略の斜視図である。図９と図１０に基づいて、本実施形態の洗浄システム１００による電気かみそり３０の洗浄作業等について、以下に説明する。
【００３０】
洗浄器４０の準備作業が完了した状態で、柱部４２の背面側に配設されているスライド部４３を上方向にスライドさせる。次に、電気かみそり３０を倒立姿勢でヘッド部３１を洗浄槽４１に収める（図９を参照）。そして、電気かみそり３０のヘッド部３１が洗浄槽４１に収まった状態で、スライド部４３を下方向にスライドさせて、充電端子３５と給電端子４５とを接続する（図１０を参照）。スライド部４３を下方向にスライドさせると、背面スイッチ６９が作動する。
【００３１】
充電端子３５と給電端子４５とが接続されるとともに、背面スイッチ６９が作動すると、電気かみそり３０の第１通信手段１０と、洗浄器４０の第２通信手段２０とで近距離無線通信が開始され、電気かみそり３０と洗浄器４０とでデータリンクが形成される。そして、電気かみそり３０および洗浄器４０がスタンバイ状態となる。３個のＬＥＤ４９が下から上にスクロールし消灯することで、スタンバイ状態となったことを使用者に知らせる。充電端子３５と給電端子４５との接続が不十分であるときは、３個のＬＥＤ４９が全点滅するので、スライド部４３を上方向にスライドさせるところから作業をやり直す。
【００３２】
そして、選択ボタン４８を押して、動作のコースを選択する。選択ボタン４８からの入力信号によって第２の制御回路４７が洗浄動作と乾燥動作と充電動作との組み合わせを設定する。動作のコースとしては、例えば、洗浄および乾燥および充電の全自動コース、乾燥および充電のコース、充電のみのコースがある。
【００３３】
電気かみそり３０と洗浄器４０との双方向通信では、一例として、洗浄器４０から電気かみそり３０に対して内刃を作動させる指令信号を送信して、電気かみそり３０が所定時間作動し、その後、電気かみそり３０から洗浄器４０に対して動作完了信号を送信する。一例として、洗浄器４０から電気かみそり３０に対して充電確認の信号を送信して、電気かみそり３０から洗浄器４０に対して充電要求信号を送信して、電気かみそり３０に対して充電を行い、その後、電気かみそり３０から洗浄器４０に対して充電完了信号を送信する。
【００３４】
洗浄動作では、例えば、電気かみそり３０のヘッド部３１が、所定時間作動し、内刃及び外刃に付着したヒゲくずや皮脂等の汚れを積極的に振り払い、洗浄動作を促進する。さらに、洗浄槽４１の底部には、シボ加工が施されているので、液体の表面張力を小さくする作用によって、洗浄液Ｗ１が滑らかに循環し、洗浄効果が向上する。
【００３５】
図１、図８、及び図１０に示すように、本実施形態では、電気かみそり３０の送受信面３３の両側の凸部３４と、洗浄器４０の柱部４２の送受信面６３の両側の凹部４４とは互いの形状が対応しており、ヘッド部３１が洗浄槽４１に収まった状態で、凸部３４と凹部４４とが重なり合う構成である。この構成によれば、第１通信手段１０および第２通信手段２０が、凸部３４と凹部４４とによって外部から遮蔽されるので、外部からのノイズを効果的に防止できる。
【００３６】
本実施形態によれば、外部からのノイズを防止して、電気かみそり３０と洗浄器４０とが安定した双方向通信を行うことができ、動作の自由度が高くなる。また、電気かみそり３０と洗浄器４０とは近距離無線通信によって所定の動作を行うので、有線接続は充電または給電のための２つの端子のみとなり、デザインの自由度が高くなる。その結果、洗浄器４０から電気かみそり３０に対し連動動作をさせることが可能となり、また、電気かみそり３０から洗浄器４０に対し状態通知をさせることが可能となる。したがって、全自動で洗浄、乾燥、及び充電を行う等の多機能を備えた電気かみそり洗浄システム１００となる。
【００３７】
本発明は、以上説明した実施例に限定されることなく、本発明を逸脱しない範囲において種々変更が可能である。例えば、上述の実施形態では、通信手段として、赤外線方式を採用したが、これに限定されない。例えば、通信手段として、Ｂｌｕｅｔｏｏｔｈ（登録商標）やＺｉｇｂｅｅ（登録商標）等のＷＰＡＮ方式を用いることが可能である。
【符号の説明】
【００３８】
１０  第１通信手段
１１  赤外線ダイオード
１２  フォトトランジスタ
２０  第２通信手段
２１  赤外線ダイオード
２２  フォトトランジスタ
３０  電気かみそり
３１  ヘッド部
３２  本体部
３３  第１送受信面（送受信面）
３４  凸部
３５  充電端子
３７  第１制御回路（制御回路）
４０  電気かみそり用洗浄器（洗浄器）
４１  洗浄槽
４２  柱部
４３  スライド部
４４  凹部
４５  給電端子
４７  第２制御回路（制御回路）
４８  選択ボタン
４９  ＬＥＤ
５１  タンク
５２  ポンプ
５３  給水口
５４  底面
５５ａ、５５ｂ、５５ｃ  排水溝
５６  排水口
６３  第２送受信面（送受信面）
１００  電気かみそり洗浄システム（洗浄システム）
【図１】
2019072097.tif 000003
【図２】
2019072097.tif 000004
【図３】
2019072097.tif 000005
【図４】
2019072097.tif 000006
【図５】
2019072097.tif 000007
【図６】
2019072097.tif 000008
【図７】
2019072097.tif 000009
【図８】
2019072097.tif 000010
【図９】
2019072097.tif 000011
【図１０】
2019072097.tif 000012
【図１１】
2019072097.tif 000013
【図１２】
2019072097.tif 000014
【図１３】
2019072097.tif 000015